(57)【要約】本発明は、酸素計センサ、関連するアダプタ、または、コネクタ回路で使用するためのメモリチップを提供する。このメモリチップによれば、患者傾向データまたは患者ＩＤ等の患者に関連するデータの格納は、酸素計センサに高度な能力を提供することができる。固有のデータを提供して、このようなメモリに格納することに加えて、本発明は、このようなメモリに格納されたデータの固有の使用法を記載する。本発明の酸素計センサは、発光要素と、光検出要素と、デジタルデータを格納するメモリデバイスとを備える。デジタルデータは特定の患者に対して予測される傾向データを含む。【選択図】図１
2004507307.tif 000002
【特許請求の範囲】
【請求項１】
発光要素と、
光検出要素と、
デジタルデータを格納するメモリデバイスであって、該デジタルデータは特定の患者に対して予測される傾向データを含む、メモリデバイスと
を備える、酸素計センサ。
【請求項２】
前記メモリデバイスは、患者に特有の血中酸素飽和度データを含む傾向データを符号化する、請求項１に記載の酸素計センサ。
【請求項３】
前記メモリデバイスは、ある期間の間監視された最高および最低血中酸素飽和度レベルを符号化する、請求項２に記載の酸素計センサ。
【請求項４】
前記メモリデバイスは、患者に特有の脈拍データを含む傾向データを符号化する、請求項１に記載の酸素計センサ。
【請求項５】
前記メモリデバイスは、前記光検出要素から受け取った信号から復号化される患者パラメータが、前記予測傾向データを上回るか、または、下回る期間を符号化する、請求項１に記載の酸素計センサ。
【請求項６】
前記メモリデバイスは、患者の脈振幅データを符号化する、請求項１に記載の酸素計センサ。
【請求項７】
発光要素と、
光検出要素と、
デジタルデータを格納するメモリデバイスであって、該デジタルデータは患者識別コードを含む、メモリデバイスと
を備える、酸素計センサ。
【請求項８】
酸素計センサであって、
発光要素と、
光検出要素と、
デジタルデータを格納するメモリデバイスであって、該デジタルデータは、患者が該酸素計センサを用いて監視される時間の長さを含む、メモリデバイスと
を備える、酸素計センサ。
【請求項９】
酸素計センサであって、
発光要素と、
光検出要素と、
デジタルデータを格納するメモリデバイスであって、該デジタルデータは、該酸素計センサに結合された酸素計モニタがオンになった時刻、または、オフになった時刻を含む、メモリデバイスと
を備える、酸素計センサ。
【請求項１０】
発光要素と、
光検出要素と、
デジタルデータを格納するメモリデバイスであって、該デジタルデータは患者に特有な酸素計の警告制限値を含む、メモリデバイスと
を備える、酸素計センサ。
【請求項１１】
前記警告制限は、最大または最小血中酸素飽和度レベルである、請求項１０に記載の酸素計センサ。
【請求項１２】
前記警告制限は、最大または最小脈拍数である、請求項１０に記載の酸素計センサ。
【請求項１３】
前記メモリデバイスは、警告制限値に達した後に、患者傾向データを符号化する、請求項１０に記載の酸素計センサ。
【請求項１４】
前記患者傾向データは灌流データを含む、請求項１３に記載の酸素計センサ。
【請求項１５】
前記患者傾向データは血中酸素飽和度レベルを含む、請求項１３に記載の酸素計センサ。
【請求項１６】
前記メモリデバイスは、警告制限値に達する前に、定期的に、患者傾向データを符号化する、請求項１０に記載の酸素計センサ。
【請求項１７】
前記患者傾向データは血中酸素飽和度レベルを含む、請求項１６に記載の酸素計センサ。
【請求項１８】
前記患者傾向データは血中灌流データを含む、請求項１６に記載の酸素計センサ。
【請求項１９】
前記メモリデバイスは、警告制限を最初に違反した時刻を符号化する、請求項１０に記載の酸素計センサ。
【請求項２０】
酸素計センサにデータを格納する方法であって、
発光要素から光を発するステップと、
光検出器を用いて該発光要素からの光を検出するステップと、
デジタルに符号化されたデータを該酸素計センサ内のメモリに格納するステップであって、該デジタルに符号化されたデータは患者ＩＤを含む、ステップと、
該患者ＩＤを用いて患者情報を追跡するステップと
を包含する、方法。
【請求項２１】
酸素計センサにデータを格納する方法であって、
発光要素から光を発するステップと、
光検出器を用いて該発光要素からの光を検出するステップと、
デジタルに符号化されたデータを該酸素計センサ内のメモリに格納するステップであって、該デジタルに符号化されたデータは特定の患者に対して予測される傾向データを含む、ステップと
を包含する、方法。
【請求項２２】
前記デジタルに符号化されたデータをメモリに格納するステップは、患者に特有の血中酸素飽和度レベルの予測範囲を該メモリに格納するステップをさらに包含する、請求項２１に記載の方法。
【請求項２３】
前記デジタルに符号化されたデータをメモリに格納するステップは、ある期間の間、前記特定の患者の最高および最低血中酸素飽和度レベルを該メモリに格納するステップをさらに包含する、請求項２１に記載の方法。
【請求項２４】
前記デジタルに符号化されたデータをメモリに格納するステップは、患者に特有の脈拍数データの予測範囲を該メモリに格納するステップをさらに包含する、請求項２１に記載の方法。
【請求項２５】
前記デジタルに符号化されたデータをメモリに格納するステップは、前記酸素計センサを用いて前記特定の患者が監視されている時間の長さを該メモリに格納するステップをさらに包含する、請求項２１に記載の方法。
【請求項２６】
前記デジタルに符号化されたデータをメモリに格納するステップは、前記特定の患者に対して予測される血中灌流データを該メモリに格納するステップをさらに包含する、請求項２１に記載の方法。
【請求項２７】
前記デジタルに符号化されたデータをメモリに格納するステップは、患者に特有の酸素計の警告制限値を該メモリに格納するステップをさらに包含する、請求項２１に記載の方法。
【請求項２８】
前記デジタルに符号化されたデータをメモリに格納するステップは、前記警告制限値のうちの１つに達した後に、前記光検出器から受け取られた監視される患者傾向データを該メモリに格納するステップをさらに包含する、請求項２７に記載の方法。
【請求項２９】
前記デジタルに符号化されたデータをメモリに格納するステップは、前記警告制限値のうちの１つに違反した時刻を格納するステップをさらに包含する、請求項２７に記載の方法。
【請求項３０】
前記警告制限値のうちの１つは、患者に特有の血中酸素飽和度レベルである、請求項２７に記載の方法。
【請求項３１】
酸素計センサにデータを格納する方法であって、
発光要素から光を発するステップと、
光検出器を用いて該発光要素からの光を検出するステップと、
デジタルに符号化されたデータを該酸素計センサ内のメモリに格納するステップであって、該デジタルに符号化されたデータは、該酸素計センサに結合された酸素計モニタが、該メモリにおいてオンになった時刻、または、オフになった時刻を含む、ステップと
を包含する、方法。
【請求項３２】
酸素計センサにデータを格納する方法であって、
発光要素から光を発するステップと、
光検出器を用いて該発光要素からの光を検出するステップと、
デジタルに符号化されたデータを該酸素計センサ内のメモリに格納するステップであって、該デジタルに符号化されたデータは、患者が該酸素計センサを用いて監視されている時間の長さを含む、ステップと
を包含する、方法。
【発明の詳細な説明】
【０００１】
（関連出願の相互参照）
本願は、２００１年８月３１日に出願された米国仮特許出願第６０／２２９，６１６号の優先権を主張する。同出願を本明細書中で参考として援用する。
【０００２】
（発明の背景）
本発明は、酸素計センサに関し、詳細には、患者に関する符号化された情報を含む脈酸素計センサに関する。
【０００３】
脈酸素計は、典型的には、動脈血液中のヘモグロビンの血中酸素飽和度、組織に供給する１回の血液脈拍量、および、患者の各心拍に相当する血液脈拍数を含む（ただし、これらに限定されない）種々の血流特性を測定するために用いられる。これらの特性の測定は、血液が組織を灌流している状態で患者の組織の一部を光が通り、かつ、このような組織内における光の吸収を光電子的に感知する非侵襲的なセンサを用いて達成されてきた。その後、吸収された光の量は、測定される血液成分量を計算するために用いられる。
【０００４】
組織を通った光は、血液量によって吸収される１つ以上の波長となるように選択される。この血液量は、血液中に存在する血液成分量を表す。組織を通った透過光量は、組織中の血液成分量の変化および関連する光の吸収にしたがって変化する。血中酸素レベルを測定するために、血中酸素飽和度を測定する公知の技術にしたがって、２つの異なる波長で動作するように適応される光源および光検出器を備えた、このようなセンサが提供されている。
【０００５】
米国特許第４，７００，７０８号には符号化機構が示されている。同特許の開示を本明細書中で参考として援用する。この機構は、組織によって吸収されなかった光を収集する検出器を備えた、一対の発光ダイオード（ＬＥＤ）を用いて、血液が灌流した組織を通る光を指向させる光学酸素計プローブに関する。動作は、ＬＥＤの波長が既知であるかどうかに依存している。ＬＥＤの波長は変化し得るので、符号化レジスタは、ＬＥＤのうちの少なくとも１つのＬＥＤの実際の波長に相当するレジスタの値を用いて、プローブに配置される。酸素計機器がオンになると、酸素計機器は、まず、電流を符号化レジスタに印加し、レジスタの値、したがってプローブにあるＬＥＤの波長の値を決定するために電圧を測定する。
【０００６】
米国特許第５，２５９，３８１号によれば、実際の波長が温度にともなって変化し得るため、符号化レジスタによって設けられた赤色ＬＥＤの波長の符号化された値は、不正確である可能性があることが分かる。したがって、この特許は、実際の温度を測定するために、酸素計プローブに温度センサを含めることを教示している。実際の温度、および、符号化された波長値を用いて、ルックアップテーブルを調べ、その温度の実際のＬＥＤの波長を決定することができる。
【０００７】
Ｍｉｎｏｌｔａに譲渡された米国特許第４，９４２，８７７号は、ＬＥＤの特性に関する符号化された情報を格納する別の方法を示す。この特許は、デジタル情報を格納するために、センサプローブから遠隔酸素計まで並列に、または、直列に設けられ得るＥＰＲＯＭメモリを用いることを開示している。このメモリは、飽和式の係数、波長、サブ波長（ＬＥＤの場合２つのピークがある）、ＬＥＤが発する波長スペクトルの半値幅、ＬＥＤの強度または比、および、（プロセッサによって書き込まれる）ＬＥＤの時間を格納するものとして記載されている。
【０００８】
他の分野にもプローブ特性を符号化する別の例がある。複数の較正値が必要とされる場合がある。この較正値を用いれば、回路をより複雑にするか、または、多くのリード線が必要となる。Ｃａｍｉｎｏ　Ｌａｂｏｒａｔｏｒｉｅｓ，　Ｉｎｃ．に譲渡された米国特許第４，４４６，７１５号において、圧力変換器の特性について符号化された情報を提供するために、複数のレジスタが用いられる。米国特許第３，７９０，９１０号は、個々の変換器の特性を格納するＲＯＭを用いた別の圧力変換器を開示する。米国特許第４，３０３，９８４号は、シフトレジスタを用いて連続的に読み出される、ＰＲＯＭに格納されたデジタル特性情報を用いた別のプローブを示す。
【０００９】
典型的には、符号化要素は、プローブ自身に搭載される。例えば、米国特許第４，６２１，６４３号は、プローブ要素自身に搭載された符号化レジスタを示す。さらに、米国特許第５，２４６，００３号は、プローブそのものに印刷された導電性材料を用いて形成された符号化レジスタを示す。
【００１０】
デバイスのなかには、ケーブルによって患者に取り付けられたデバイスに結合された電気コネクタが、符号化要素を含み得るものもある。例えば、米国特許第３，７２０，１９９号は、カテーテルとコンソールとの間にコネクタを備えた内大動脈バルーンを示す。コネクタは、特定のバルーンの容積測定の変位を反映するように選択された値を有するレジスタを含む。米国特許第４，６８４，２４５号は、光ファイバとプロセッサに接続された電気ワイヤとの間にモジュールを備えた光ファイバカテーテルを開示する。このモジュールは、光信号を電気信号に変換し、モジュールとカテーテルとが、プロセッサから切断されて、再較正が不要な異なるプロセッサとともに使用され得るように、較正信号を格納するメモリを備える。
【００１１】
米国特許第５，６４５，０５９号は、変調信号を用いて符号化されたデータを遠隔分析器に提供することを教示する。米国特許第５，４２９，１２９号は、電圧調整器を用いて、分析器による読み出し試行に応答して、特定の電圧値を生成することを示す。
【００１２】
Ｈｅｗｌｅｔｔ−Ｐａｃｋａｒｄ　Ｃｏｍｐａｎｙの米国特許第５，０５８，５８８号は、レジスタ、ＲＯＭまたはカスタマイズされた集積回路であり得る符号化要素を備えた酸素計センサを教示する。符号化要素は、センサのタイプを符号化する（詳細には、体に配置される場所を示すタイプ−指、耳、足、腕、また、透過／反射タイプを示し得るセンサのタイプ、または、大人／新生児｛理論的な酸素飽和度に対して行われる補正を示す、大人／新生児の最小／最大脈拍等の生理学的制限間の切り替えを可能にする｝、センサのタイプに基づいて最大駆動電流が適応され得る、センサと組織との接触が、センサのタイプが分かっている場合に減衰測定によってテストされ得る）。
【００１３】
Ｎｅｌｌｃｏｒの米国特許第５，６４５，０５９号（同特許を本明細書中で参考として援用する）は、センサのタイプ（指、鼻）を示すために、脈変調信号、第２のＬＥＤの波長、ＬＥＤの数、標準曲線に対する数値補正項、および、製造業者の識別番号を提供するために用いられるセンサメモリ内の情報を符号化することを教示している。
【００１４】
また、カテーテル特許の多くは、カテーテルの情報を符号化することについて説明する。Ｓｅｎｔｒｏｎの米国特許第４，８５８，６１５号は、センサのタイプ、タイプ番号、シリアル番号、製造日、センサの保証寿命、非線形の補正データ、圧力感度、オフセットおよび温度感度を符号化することを教示する。
【００１５】
Ｉｎｔｅｒｆｌｏ　Ｍｅｄｉｃａｌの公開ＰＣＴ出願第ＰＣＴ／ＵＳ９２／０８２６３、公開番号第ＷＯ９３／０６７７６号は、ＥＥＰＲＯＭ内の、患者の特定のデータ、サイズ、製造日、バッチ番号、滅菌処理日、使用期限、変換器番号およびタイプ、製造業者名および住所、サーミスタ加熱素子の抵抗、フィラメント効率、プログラムセグメントまたは病歴データ、較正データのフォーマット版、商標情報、カテーテル固有シリアル番号、発送日、他の日付および時間情報、製造業者を特定するためのセキュリティコード、熱質量、フィラメント組成、抵抗係数、レイアウトバイト、チェックサム、著作権、特定の日からの秒数、患者の体重、患者の身長、１回目のＣＯデータ点のタイムスタンプ、および、全ＣＯデータ点のカウントを符号化することを教示する。
【００１６】
Ｃｏｌｏｒａｄｏ、ＢｏｕｌｄｅｒのＤｕｌｅｘ−Ｏｈｍｅｄａは、（米国特許第４，７００，７０８号に示されるように）係数を含み、かつ、センサとともに用いるためにＬＥＤ駆動電流の範囲を示すルックアップテーブルへのポインタを表すレジスタ値へ、データを符号化する酸素計センサ製品を販売している。ＬＥＤは、特定のセンサのレジスタ値に応じて、高駆動電流または低駆動電流によって駆動される。
【００１７】
Ｈｏｎｅｙｗｅｌｌの米国特許第４，３０３，９８４号（１９９９年１２月１４日満了）には、圧力センサの線形情報等の特性情報を格納するメモリについて記載されている。Ａｌｎｏｒ　Ｉｎｓｔｒｕｍｅｎｔの米国特許第５，１６２，７２５号には、センサメモリに較正情報とＩＤ情報との両方を格納することが記載されている。Ｓｅｉｍａｎｓの米国特許第５，０１６，１９８号は、センサの特性曲線を規定するデータを備えた、センサ内の符号化メモリを記載する。ＭｃＢｅａｎの米国特許第５，３６５，４６２号には、センサメモリ内の日付コードについて記載される。Ｈｏｎｅｙｗｅｌｌの米国特許第４，７３４，８７３号は、多項式の係数を格納するＰＲＯＭを備えた圧力センサを記載する。Ｒｏｂｅｒｔ　Ｂｏｓｃｈの米国特許第４，８４５，６４９号は、補正データを格納する、センサ内のＰＲＯＭを記載する。
【００１８】
ＭｃＢｅａｎの米国特許第５，３７１，１２８号は、センサタイプコードおよび較正データを有する、センサ内のＥＥＰＲＯＭに関する。ＭｃＢｅａｎの米国特許第５，３４７，４７６号は、正確なコードを記載する。Ｏｔａｘの米国特許第５，５２８，５１９号は、酸素計のコネクタ内のＰＲＯＭを示す。
【００１９】
Ｓｑｕａｒｅ　Ｄ　Ｃｏｍｐａｎｙの米国特許第５，０７０，７３２号は、センサメモリ内の較正データを示す。Ｂａｘｔｅｒの米国特許第５，７２０，２９３号には、セキュリティコード（暗号化が述べられている）、シリアル番号、型番、ＩＤデータ（較正日、製造日、滅菌処理日、発送日または他の日、および、時間情報）、ソフトウェアプログラムセグメント、センサがモニタ製造業者と同じ製造業者によって作製されたかどうかを識別するセキュリティコード、フィラメント抵抗または変換器抵抗、熱変換係数、熱質量、フィラメント組成、抵抗係数、レイアウトバイト、著作権通知、チェックサム、ランダムデータバイトを含む、カテーテルの異なる較正情報について述べられている。Ｐｏｒｓｃｈｅの米国特許第５，００８，８４３号は、ＥＥＰＲＯＭ　ＩＤおよび特性データを有するセンサを記載している。
【００２０】
（発明の簡単な要旨）
本発明は、酸素計センサ、関連するアダプタ、または、コネクタ回路で使用するためのメモリチップを提供する。このメモリチップによれば、患者傾向データまたは患者ＩＤ等の患者に関連するデータの格納は、酸素計センサに高度な能力を提供することができる。固有のデータを提供して、このようなメモリに格納することに加えて、本発明は、このようなメモリに格納されたデータの固有の使用法を記載する。
【００２１】
（発明の詳細な説明）
図１は、本発明による較正メモリ要素５６を組み込んだ脈酸素計システムのブロック図である。１実施形態において、メモリ要素５６は、２リード線半導体デジタルメモリチップである。較正要素はセンサ５０の一部であり、検出器５４とともに、従来技術と同様、赤色ＬＥＤおよび赤外ＬＥＤ５２をも含む。所望ならば、ＬＥＤ５２をレーザ等の他の発光素子と置き換えてもよい。
【００２２】
酸素計は、読み出し回路６０、駆動回路６６、ルックアップテーブル６２および６３、コントローラ６４、増幅器７２、フィルタ７４、および、アナログ／デジタル変換器７６を含む。読み出し回路６０は、較正要素５６に接続された２つのリード線５１、５３を介して複数の符号化された値を読み出すために設けられている。１つの値は、従来技術と同様に、酸素飽和度の計算用に適切な波長に依存した係数を決定するために、ルックアップテーブル６２に提供される。次いで、他の値（単数または複数）は、入力（例えば、係数）をコントローラ６４によって実行される他の計算に提供する別のルックアップテーブル（単数または複数）６３に提供される。これらのさらなる計算は、システムの性能および／または安全性を高め得る。コントローラ６４は、ＬＲＤ５２に提供される駆動電流量を制御するための信号を駆動回路６６に提供する。
【００２３】
従来技術と同様に、検出器５４は、増幅器７２およびフィルタ７４を介してＡ／Ｄ変換器７６に接続される。これにより、コントローラ６４が用いるフィードバックパスが形成され、受け取られた信号の強度範囲を最適化するように、駆動電流が調節される。適切に動作させるために、信号は、用いられる回路のアナログ範囲内である必要がある。信号は、また、Ａ／Ｄ変換器７６の範囲内である必要がある（例えば、適用され得る１つの法則は、赤色信号およびＩＲ信号の両方が、変換器７６の１００％読み出しのうち４０％〜８０％の範囲内になるように、ＬＥＤドライバおよび増幅器のゲインを調節することである）。このことは、赤色ＬＥＤおよび赤外ＬＥＤの両方に対して正しくかつ独立した設定を必要とする。
【００２４】
本発明の実施形態において、傾向データまたは患者監視パラメータ等の患者特有のデータは、メモリチップ５６のメモリに能動的に格納され得る。患者およびセンサが病院の病室間を移動し、したがって、異なる酸素計にプラグをつなぐと、患者特有のデータは、患者の専用センサのメモリ５６から読み出され、観察用に表示画面に表示され得るか、または、他の目的のために酸素計モニタによって用いられ得る。メモリ５６は、例えば、ランダムアクセスメモリ（ＲＡＭ）、フラッシュメモリ、プログラマブル読み出し専用メモリ（ＰＲＯＭ）、電気的消去可能ＰＲＯＭ、同様のプログラマブルおよび／または消去可能メモリ、任意の種類の消去可能メモリ，１回書き込みメモリ、または、書き込み動作可能な他のメモリ技術としてインプリメントされ得る。次に、メモリ５６に格納され得る患者特有のデータの例を説明する。
【００２５】
患者の血中酸素飽和度（ＳｐＯ２）レベル、脈拍数、脈の振幅、灌流データ、および、ある期間にわたる他の患者データに関する患者傾向データが、メモリチップ５６に記録され得る。酸素計モニタは、患者の現在の傾向データを連続的にまたは定期的にメモリ５６に格納して、患者の病歴データを維持し得る。患者傾向データは、センサが新たな患者に用いられるたびに（例えば、酸素計モニタがオフにされるか、または、モニタへのユーザ入力が新たな患者を示す場合）、メモリ５６から消去され得る。あるいは、符号化されてメモリ５６に入れられるデータは、永久的であり、消去不可能であってもよい。さらに、２０００年３月７日に出願された、Ｓｗｅｄｌｏｗらの米国特許出願第０９／５２０，１０４号に、病歴生理学的データを格納し、提供する方法および回路についてのさらなる詳細が記載されている。同出願の全体を本明細書中で参考として援用する。
【００２６】
別の例として、最低および／または最高血中酸素飽和度レベル、脈拍数、脈の振幅値、温度データ、血圧、灌流データ、または、監視期間中の任意の他の患者データが、酸素計モニタによってメモリ５６に格納され得る。所望ならば、過去の特定の監視期間（例えば、２時間、１日等）にわたるこれらの患者パラメータのうちの最低および／または最高値をメモリ５６に記録してもよい。
【００２７】
特定の患者に特有の患者パラメータ（脈拍数、脈の振幅および血中酸素飽和度レベル）の予測範囲もまた、臨床医によってメモリ５６に記録され得る。これは、予測される患者傾向データが、患者ごとに大幅に異なり得るため望ましい特徴であり得る。酸素計モニタは、メモリ５６に格納された患者の予測範囲と、監視される患者傾向データとを比較して、患者の脈および血中酸素レベルが、その患者の予測範囲内にあるかどうかを判定し得る。監視される患者パラメータが、メモリ５６に記録された患者特有の範囲外である場合には、警告メッセージが酸素計モニタ上に表示され得るか、または、警告信号が発信され得る。所望ならば、予測範囲からの監視される患者パラメータの任意の変化を、タイムスタンプとともにメモリ５６に記録してもよい。
【００２８】
所望ならば、患者の医療チャートおよび／または過去の病歴の一部をデジタルに符号化して、（十分なメモリ空間が利用可能であれば）メモリ５６に格納されるので、患者が移動する際に患者とともにこの情報が維持され、異なる部屋または病院に移動する際に、酸素計モニタを用いて容易にアクセスされ、表示され得る。
【００２９】
脈酸素計は、特定の患者が脈酸素計によっていつから監視されているかを記録し得、経過時間をカウンタでチェックすることによって、メモリ５６にその時間間隔を定期的に格納し得る。カウンタは、酸素計モニタにある回路素子であり得、酸素計モニタがセンサからデータ信号を受け取り始めるたびに、または、酸素計モニタがオフにされるたびにリセットされる。患者が酸素計センサによって監視される期間が、観察用に表示画面に表示され得る。
【００３０】
脈酸素計モニタはまた、現在の日付および時刻を記録し得るデジタルクロックを含み得る。酸素計モニタがオンにされた日付および時刻、ならびに、酸素計モニタがオフにされた日付および時刻は、符号化されてメモリ５６内のセンサに入れられ得る。酸素計モニタが再度オンにされると、モニタは、最後にオンおよびオフにされた日付および時刻を表示し得る。このことは、医療職員が、患者のバイタルサインを酸素計によって監視した最後の時刻を知るために望ましくあり得る。
【００３１】
酸素計モニタ機器は、また、特定の患者とともに用いられる警告制限をメモリチップ５６に書き込み得る。警告制限は、酸素計モニタによって追跡される患者傾向データ（血中酸素飽和度、脈拍数、脈の振幅等）の最大値または最小値を表す値である。これらの値は危険なレベルであるとみなされるため、警告をトリガすることになる。警告制限値は、製造業者によって、または、動作前に酸素計モニタを用いて臨床医によって、符号化されてメモリ５６に入れられ得る。
【００３２】
酸素計モニタは、警告制限値に関わらず患者の監視される傾向データを定期的にチェックする。監視される患者パラメータのうち１つがメモリ５６に格納された警告制限値に達した場合、酸素計モニタは、問題が存在し得ることを医療職員に警告する警告をトリガする。また、本発明によれば、患者に特定の警告値は、酸素計を用いて医療職員によって設定され、メモリ５６に格納され得るので、患者が（センサが患者に位置した状態で）モニタ間を移動する場合、新たなモニタごとに適切な警告制限をリセットする必要がない。その代わり、警告制限は、臨床医が警告制限を調整するときは必ず１回、または、その後にプログラミングされることのみを必要とする。
【００３３】
血中酸素飽和度、脈拍数および脈の振幅を含む多くの患者傾向データのうち１つは、警告閾値と交差するときは必ず、発生時刻とともにメモリ５６に書き込まれ得る。警告が発生する前の所定の時刻に読み出た情報等のさらなる情報もまた格納され得る、および／または、警告に違反している間の定期的な値もまたメモリ５６に格納され得る。
【００３４】
現在、センサが、ある病院の位置にいる患者に取りつけられており、病院内の位置間で患者に位置した状態にある。したがって、各位置において生じる記録維持が、記録された情報を患者とリンクさせ得るように、保持される固有番号等の患者識別コード（患者ＩＤ）をセンサ内に有しておくことが望ましくあり得る。センサ自身に格納された患者ＩＤを有していない場合、追跡を手動で行う必要がある。この方法では誤りが生じ、患者を管理する際に要する労力は増える傾向にある。
【００３５】
したがって、本発明のさらなる実施形態では、酸素計モニタは、センサ５０のメモリ５６に患者ＩＤを格納し得る。酸素計は、患者ＩＤを酸素計に入力し、再入力して、センサメモリ５６に格納することができる、キーボード、タッチスクリーンまたはスキャナ等の入力デバイスを有している。患者傾向情報が上述のセンサのメモリ５６に格納されている場合、メモリ５６に患者ＩＤを格納させることが望ましくあり得る。これにより、患者が病院の位置間を移動する際に、新たな位置のスタッフは、メモリ５６に格納された古い傾向情報が、実際に、その特定の患者から入手されたものであるかどうかを確認することができる。医療職員は、センサ５０に格納された患者ＩＤが、患者のチャートおよび他の書類の患者ＩＤと一致するかどうかをチェックして、これらの医療記録が、正しい患者に対応するかどうかを確認することができる。所望ならば、酸素計センサは、患者ＩＤ番号のデータベースを維持する病院コンピュータネットワークとインターフェースをとって、患者の識別情報を確認し、病院データベースに格納された患者の医療記録および他の情報を入手することができる。メモリ５６に格納された患者ＩＤは、センサのメモリ５６から読み出された任意のデータがＩＤを受け取る患者と相関しているという保証を提供する。
【００３６】
測定された光容積脈波の脈の振幅は、例えば、局所的な組織の血液灌流（血流）、血圧の変化、血管緊張、血管狭窄または血管拡張の間接測定であり、これらはすべて、脈酸素計を用いて観察される脈動の信号強度に影響を及ぼす。
【００３７】
測定された変調または灌流の他の測定は、患者傾向のためにメモリ５６に格納され得る。酸素計は、現在の変調および灌流データとメモリ５６からの古いデータとを比較して、患者が時間の経過にともなって傾向があるかどうかを判定し得る。患者の脈の振幅が時間の経過にともなって小さくなる場合は、注意を要する深刻な状況であることを示し得る。したがって、時間の経過にともなう患者の灌流の変化を格納し、監視することは望ましくあり得る。また、センサを移動したり、再位置付けしたり、または、何らかの他の方法で調整する必要がある前に、患者の測定された灌流が達し得る最大値または最小値を表す最大または最小灌流制限が、メモリ５６に格納され得る。酸素計は、灌流制限に達したり、または、顕著な変化が生じた場合には、警告信号または警告光をトリガし得る。
【００３８】
本発明の特定の実施形態を参照して、本発明を本明細書中で説明してきたが、上述の開示では、改変の許容範囲、種々の変更および代替を意図しており、上掲の特許請求の範囲から逸脱することなく、本発明の一部の特徴に対応する使用をすることなく、本発明の他の特徴を採用する場合もあることを理解されたい。したがって、本発明の基本的な範囲および意図から逸脱することなく、特定の状況または材料を本発明の教示に適応するように、多くの改変が為され得る。本発明は、開示される特定の実施形態に制限されるのではなく、特許請求の範囲内であるすべての実施形態および均等物を含むように意図されている。
【図面の簡単な説明】
【図１】
図１は、本発明による脈酸素計システムのブロック図である。
【図１】
2004507307.tif 000003
【国際公開パンフレット】
2004507307.tif 000004
2004507307.tif 000005
2004507307.tif 000006
2004507307.tif 000007
2004507307.tif 000008
2004507307.tif 000009
2004507307.tif 000010
2004507307.tif 000011
2004507307.tif 000012
2004507307.tif 000013
2004507307.tif 000014
2004507307.tif 000015
2004507307.tif 000016
2004507307.tif 000017
2004507307.tif 000018
【国際調査報告】
2004507307.tif 000019
2004507307.tif 000020
2004507307.tif 000021
2004507307.tif 000022